(57)【特許請求の範囲】
【請求項１】
作動弁を介して試料容器と連通するようにした空気室を有する装置において、該空気室を構成する底面部の最も低い位置に水抜き弁を設けたことを特徴とする未硬化混練物の水量計
【発明の詳細な説明】
【０００１】
【発明の属する技術分野】
本発明はフレッシュコンクリートつまり未硬化状態の生コンクリート中に含有する水分を測定する単位水量計に関する。
【０００２】
【従来の技術】
最近、高速道路やトンネルに於けるコンクリートの脆化が問題視されており、コンクリート本来の強度維持のためにフレッシュコンクリート（生コンクリート：生コン）中の保有水量即ち単位水量測定について国土交通省が耐久性指針として単位水量の許容値を示し、単位水量測定を義務づけている。
【０００３】
コンクリートの強度や耐久性は概ねコンクリートを混練する際の水セメント比、つまり水とセメントの配合比が大きく左右するだけでなく、空気量も影響しており、その為単位水量や空気量の簡単且つ迅速な計量方法が求められている。単位水量は生コンの生成時に投入する水量の他骨材に既に付着している表面水を加えたもので、この表面水の量は条件によって著しく変動するので一律に決定することはできない。
【０００４】
一般に練り上がったコンクリート中の水量を測定する方法としては主に加熱乾燥法、静電容量法、単位容積質量法（空気圧力法）等によっている。
【０００５】
前記加熱乾燥法でも乾燥炉法や減圧乾燥炉法、電子レンジ法等様々な方法があるが、上記加熱乾燥法の内の何れの場合も乾燥熱源が異なるのみで試料を加熱する点では皆同一であり、乾燥することにより生じた水蒸気を水分量とすることには全く相違ない。
【０００６】
静電容量法は骨材固有の静電容量が水分量によって変化することを利用するもので、静電容量の値によって配合量と、付着水分量を決定するものである。
【０００７】
【発明が解決しようとする課題】
しかし、上記従来の単位容積質量法（空気圧力法）では生コン中の配合水分や空気量を同時に簡単に測定できない欠点がある。しかも試料容器に付設した空気室内に水が進入した場合除去する手段がなく、従って水分が漏入して溜まった場合はその後の測定結果に影響し信頼性を損ね、高い精度が得られないと言う欠点があった。
【０００８】
また、これまでの水量計ではデータ管理を全て人為的に行っていたので生コンクリートの総合管理が頗る煩雑な許かりかデータ授受による多様性に富んだ数値管理ができなかった。
【０００９】
【課題を解決するための手段】
本発明は単位水量計（空気圧力法）の上部にある空気室の底部に設置した空気室内の水抜き手段と、該単位水量計で得た各種データを全てコンピュータで数値管理して多様性を図れるようにしてなる。
【００１０】
【発明の実施の形態】
【実施例】
本発明はフレッシュコンクリートの水セメント比を測定する水量計の改良に係る発明であって、その最も要旨とするところは空気室の低部に水抜き用の逆止め（３）弁を設けることによって空気量測定時に基準となる空気室内の空気量（容積）の精度を維持する構成と、測定データを数値管理することにより多様性を図れるようにした点である。
【００１１】
実施例について詳細に述べる。
図１は２図に示す本発明装置の平面図あり、フレッシュコンクリートを入れるための試料容器１と、該容器１の上面に水密的に被せて固定するようにした容器蓋２を主要部材として構成し、該容器蓋２の上面には図１乃至図４から明らかなように作動弁を介して試料容器内に連通する空気室３を片方寄り半部に気密的に密着定設している。
【００１２】
該空気室３の底部には図５に示すように水抜き弁４を螺着その他により適宜取着しており、作動弁７を操作中に該弁７その他から空気室３へ漏入した水を簡単に除去するようにその外端の摘み４′を回動する事により中心の作動棒５でボール弁６を押し開き排除する。
【００１３】
また、空気室３内には天面に該空気室へ適宜手段例えば手動ポンプ或いは携帯用の空気ボンベ（自転車の空気ボンベ）などが簡単にセットでき、しかも逆止め作用の機能を備えた空気注入口９を設けると共に、容器蓋２に穿設した通気孔を開閉する作動弁７の操作レバー８を設置し、空気室と容器内とを通断する。
【００１４】
容器蓋２の右寄り（図１、図２参照）には該容器２を貫いて止水栓付注水口１０を定着し、他方左寄りには同じく容器蓋を貫通して止水栓付排水（気）口１１を設けている。
【００１５】
その他前記空気室３と隣り合わせに圧力センサー１２によって検出した空気室内の圧力データを処理する演算装置１３を装備し、該演算装置１３の圧力計測送出部１３ａからは圧力データを集中制御用の演算表示部１６の受信ユニットへ無線伝送するようにしている。尚、その下部には前記演算装置１３を稼働させるための電池或いはバッテリー等の電源１４を内蔵している。
【００１６】
尚、符号１５は手軽く何れの場所へも持ち運びできる可搬式の高精度の電子秤であり、その内部に重量計測送出部１５ａ（図６）を内蔵しており計測結果を集中制御するための前記演算表示部１６へ伝送する。
【００１７】
以下単位水量計を用いた計測手法について述べるが、ここでは容器、及び計器のキャブリレーションは既に行ったものとし、電子秤１５で試料容器（空気測定装置）その物の重量と、水を満たした試料容器の重量を計測し、後者から前者を減ずることにより容器の容積を算出（前記演算表示部）する。
【００１８】
次いで容器中に所定量（容器容量の約８部目）のコンクリート試料をＪＩＳの定めに従って入れて整え、その上面に水を満たしてから更に総重量を計測し、その後試料容器１に容器蓋２を施し、密閉固定すると共に、該容器内水面と容器蓋２との空間２′へ注水口１０から水を注入して、水が排水口１１から零れるまで注いで内部の空気を追い出し、その後注水口１０と、排水口１１を完全に閉鎖するす。
【００１９】
また、通常、空気室３は水抜き弁４と空気注入口９が自らの逆止め作用によって閉鎖しており、この状態で該注入口９から前記手動ポンプ或いは簡易空気ボンベ等により圧縮空気を注入すると、空気室３内の天面に付設したリリーフ弁９′によって内部は所定圧力に維持される。
【００２０】
水抜き弁４の摘み４′を回動操作することによりボール弁６を弁棒５で押し開き、前記注水時に空気室３内へ作動弁７の部分から漏入した水を空気圧によって瞬間的に外部へ排除する。この時空気室３内は一瞬僅かに圧力低下を来すが、直ちに空気注入口９から圧力低下相当分の空気が補給され、しかも超過圧とならないようにリリーフ弁（排気弁）９′が動作して常に一定空気圧Ｐ（１００ｋｐｓ）を保ように自動的に調圧する。
【００２１】
従って、空気室内の容積（予め設定した既知容積）を正確に維持することができ、この状態で前記空気注入口９を閉鎖し、レバー８を押して作動弁７を引き上げて開放し、空気室３の気圧を瞬間的に試料容器１内の水面に作用させる。
【００２２】
上記のように空気室内の圧縮空気を容器内の水面に作用すると、試料中の含有空気量に応じて圧力の指示値は低下するので、この時の圧力指示値を見かけの空気量Ａ１（％）とし、この値から使用材料の骨材の修正係数Ｇを減ずることによりコンクリートの空気量Ａ（％）が算出される。
【００２３】
つまり、空気室と容器の圧力平衡をとることによって、予め求めてコンピュータに記憶させておいた減圧量と空気量（％）の関係からコンクリートの空気量を算出するものである。
【００２４】
こうして総重量からコンクリートの単位体積重量（骨材等）、規定量のセメント量（既知）、及び空気量等を減じることにより水分が算出され、水分量とセメント量から水セメント比Ｗ／Ｃが得られる。修正値や定数等の入力処理計算は全てコンピュータによって予め設定した処に従って処理され結果が導かれる。
【００２５】
全ての測定データを数値管理することにより集中制御が可能となり、各ユニット間を無線伝送することにより多様性を図れる。
【００２６】
【発明の効果】
本発明は空気室３の底部に滞留する水分を水抜き弁４の操作により瞬間的に排除できるので、空気室３内の容積変動がなく高い測定精度を維持することが可能である。
【００２７】
また、水抜き弁４は空気室３内の底部の最も低い位置に設置したことによりにり空気室３の底部に滞留する水を一挙に全て排除できる。
【図面の簡単な説明】
【図１】装置の平面図
【図２】同上正面図
【図３】同上左側面図
【図４】図３の要部切欠拡大断面図
【図５】水抜き弁の一例を示す拡大断面図
【図６】本発明のユニット図
【符号の説明】
１  試料容器
２  容器蓋
３  空気室
４  水抜き弁
９′  リリーフ弁
１３  演算装置
１５  電子秤
１６  演算表示部
【図１】
0004725908.tif 000002
【図２】
0004725908.tif 000003
【図３】
0004725908.tif 000004
【図４】
0004725908.tif 000005
【図５】
0004725908.tif 000006
【図６】
0004725908.tif 000007